(57)【特許請求の範囲】
【請求項１】
その下端に縁巻部が形成された平板部を有するパネルを脱着自在に保持するためのパネル保持具であって、
内部に磁石が収納され、磁性体に脱着自在に固定することができる固定部材と、
前記固定部材に接続され、前記縁巻部の径に相当する幅の断面Ｕの字状であって、前記固定部材に接続され、垂直面を構成する第１垂直部と、前記第１垂直部の下端に接続され、断面半円状の屈曲部と、前記屈曲部の上端に接続され、垂直面を構成する第２垂直部とからなる保持部と、前記第２垂直部の上端に接続され、前記第１垂直部側に屈曲すると共にその先端が前記屈曲部の上方に位置した爪部とからなる保持部材とを備え、
前記爪部は、前記第１垂直部の上端を中心として前記縁巻部の径を半径とする円弧状断面を有し、前記パネルの前記縁巻部が前記屈曲部の内面に当接状態に取付けられた時、前記パネルの前記平坦部が前記第１垂直部の外面に接する、パネル保持具。
【請求項２】
前記磁石を除いた前記固定部材と前記保持部材とは、同一材料のプレス加工によって形成される、請求項１記載のパネル保持具。
【請求項３】
前記固定部材は、断面逆Ｕの字形状の棒状に形成され、
前記保持部材は、２個形成され、前記固定部材の長手方向の両端に各々接続される、請求項１又は請求項２記載のパネル保持具。
【請求項４】
前記保持部材の各々の間に位置する前記固定部材の垂直面のうち、前記保持部材側の垂直部を含む面と、前記保持部材の各々を構成する前記第１垂直部を含む面とはほぼ同一面である、請求項３記載のパネル保持具。
【請求項５】
前記第２垂直部の下方には、水平方向に前記第１垂直部側に凹んだ凹み部が形成された、請求項１から請求項４のいずれかに記載のパネル保持具。
【発明の詳細な説明】
【技術分野】
【０００１】
この発明はパネル保持具に関し、特に台所のレンジ周りに立設される調理用油除けパネル等を保持するためのパネル保持具に関するものである。
【背景技術】
【０００２】
台所のレンジ周りに調理時の油跳ねから周囲を保護するために立設される調理用油除けパネルが提案されている。調理用油除けパネルは例えばアルミニウム箔や鉄板等を成形加工したものが多くあり、その周辺には安全のための縁巻加工が施されているのが一般的である。
【０００３】
通常、油除けパネルは立て掛けておくだけでは、不用意に移動する虞があるため、その下部を磁石等を利用して固定して使用されることが多い。
【０００４】
図１１はこのような油除けパネルを固定するための従来のパネル保持具の外観形状を示した斜視図である。
【０００５】
図を参照して、パネル保持具６１は固定部材１７と、固定部材１７に接続された一対の保持部材１８ａ，保持部材１８ｂとから構成されている。固定部材１７は、内部に一対の磁石２４ａ，磁石２４ｂが収納された断面逆Ｕの字形状を有している。具体的には、水平方向に伸びる矩形シート形状の基板部２０と、基板部２０の長手方向の一辺の中央部分に接続し垂直面を構成する第１垂直部２１と、基板部２０の長手方向の他の辺に接続され、垂直面を構成する第２垂直部２２とから構成されている。基板部２０、第１垂直部２１及び第２垂直部２２は鉄板等の磁性体を曲げ加工して形成されたものであり、内部の磁石２４ａ，磁石２４ｂによってレンジを構成する磁性体に対してパネル保持具６１を脱着自在に固定することが可能となる。
【０００６】
一方、保持部材１８ａ，保持部材１８ｂの各々は、固定部材１７の基板部２０の長手方向の辺の両端の各々に接続され、垂直面を構成する第１垂直部２５と、第１垂直部２５の下端に接続され断面半円状の屈曲部２６と、屈曲部２６の上端に接続され垂直面を構成する第２垂直部２８と、第２垂直部２８の上端に接続され第１垂直部２５とは反対側に屈曲した湾曲部３９とから構成されている。
【０００７】
次に図１１で示したパネル保持具６１の使用状態について説明する。
【０００８】
図１２は、図１１で示したパネル保持具に調理用油除けパネルを保持した状態を示した概略断面図である。
【０００９】
図を参照して、油除けパネル３５は平板部３６と平板部３６の下端に形成された縁巻部３７とから構成されている。使用時には保持部材１８の第２垂直部２８と固定部材１７の第１垂直部２５との間のスペースの上方から、油除けパネル３５の縁巻部３７を差し込むように挿入する。この時、保持部材１８の湾曲部３９は固定部材１７側とは反対側に湾曲しているため、縁巻部３７の挿入時のガイドの役目をなし、縁巻部３７の挿入を容易とする。油除けパネル３５の縁巻部３７を挿入して保持部材１８の屈曲部２６の内面に当接した状態まで押し込むと、油除けパネル３５の取付けは完了する。
【００１０】
次に、この状態の固定部材１７を、磁性体よりなる設置面３３の所望の位置に載置する。すると固定部材１７に格納されている磁石２４の磁力によって、固定部材１７は強固に設置面３３に固定されることになる。これによって油除けパネル３５の設置面３３に対する固定が完了し、油除けパネル３５の不用意な移動を阻止することが可能となる。
【発明の開示】
【発明が解決しようとする課題】
【００１１】
上記のような従来のパネル保持具では、保持部材１８の上方部が縁巻部３７の挿入を容易とする反面、油除けパネル３５の取付け後に大きなスペースとして残ってしまう。そのため、図１２の２点鎖線で示されているように油除けパネル３５の平板部３６が縁巻部３７を中心として揺動しやすくなってしまい、パネルの安定性という観点では不十分であった。
【００１２】
この発明は上記のような課題を解決するためになされたもので、パネルの取付けを容易とすると共に取付け後の安定性が高いパネル保持具を提供することを目的とする。
【課題を解決するための手段】
【００１３】
上記の目的を達成するために、請求項１記載の発明は、その下端に縁巻部が形成された平板部を有するパネルを脱着自在に保持するためのパネル保持具であって、内部に磁石が収納され、磁性体に脱着自在に固定することができる固定部材と、固定部材に接続され、縁巻部の径に相当する幅の断面Ｕの字状であって、固定部材に接続される垂直面を構成する第１垂直部と、第１垂直部の下端に接続される断面半円状の屈曲部と、屈曲部の上端に接続され、垂直面を構成する第２垂直部とからなる保持部と、第２垂直部の上端に接続され、第１垂直部側に屈曲すると共にその先端が屈曲部の上方に位置した爪部とからなる保持部材とを備え、爪部は第１垂直部の上端を中心として縁巻部の径を半径とする円弧状断面を有し、パネルの縁巻部が屈曲部の内面に当接状態に取付けられた時、パネルの平坦部が第１垂直部の外面に接するものである。
【００１４】
このように構成すると、爪部の先端と第１垂直部が含まれる面との間隔が縁巻部の径より小さくなる。又、パネルの平坦部は爪部の先端と保持部の第１垂直面との間に位置する。
【００１５】
請求項２記載の発明は、請求項１記載の発明の構成において、磁石を除いた固定部材と保持部材とは、同一材料のプレス加工によって形成されるものである。
【００１６】
このように構成すると、固定部材と保持部材とは一体化する。
【００１７】
請求項３記載の発明は、請求項１又は請求項２記載の発明の構成において、固定部材は断面逆Ｕの字形状の棒状に形成され、保持部材は、２個形成され、固定部材の長手方向の両端に各々接続されるものである。
【００１８】
このように構成すると、パネルは２個の保持部材に保持される。
【００１９】
請求項４記載の発明は、請求項３記載の発明の構成において、保持部材の各々の間に位置する固定部材の垂直面のうち、保持部材側の垂直部を含む面と、保持部材の各々を構成する第１垂直部を含む面とはほぼ同一面としたものである。
【００２０】
このように構成すると、保持されたパネルの一方面は固定部材の垂直部によっても支持される。
【００２１】
請求項５記載の発明は、請求項１から請求項４のいずれかに記載の発明の構成において、第２垂直部の下方には、水平方向に第１垂直部側に凹んだ凹み部が形成されたものである。
【００２２】
このように構成すると、凹み部の位置において保持部材の内面の間隔が狭まる。
【発明の効果】
【００２９】
以上説明したように、請求項１記載の発明は、爪部の先端と第１垂直部が含まれる面との間隔が縁巻部の径より小さくなるため、保持されたパネルの平坦部が爪部の先端と保持部の第１垂直部の外面とで挟まれることになり、パネルのぐらつきが小さくなり設置状態が安定する。
【００３０】
請求項２記載の発明は、請求項１記載の発明の効果に加えて、固定部材と保持部材とは一体化するため、コスト的に有利となると共に信頼性が向上する。
【００３１】
請求項３記載の発明は、請求項１又は請求項２記載の発明の効果に加えて、パネルは２個の保持部材に保持されるため、取付け状態がより安定する。
【００３２】
請求項４記載の発明は、請求項３記載の発明の効果に加えて、保持されたパネルの一方面は固定部材の垂直部によっても支持されるため、より安定したパネルの取付け状態が維持される。
【００３３】
請求項５記載の発明は、請求項１から請求項４のいずれかに記載の発明の効果に加えて、凹み部の位置において保持部材の内面の間隔が狭まるため、保持されたパネルの縁巻部に対して抜け止め効果を発揮する。
【発明を実施するための最良の形態】
【００３７】
図１はこの発明の第１の実施の形態によるパネル保持具の外観形状を示した斜視図であり、図２は図１で示したＩＩ−ＩＩラインから見た側面図であり、図３は図１で示したＩＩＩ−ＩＩＩラインの断面図である。
【００３８】
これらの図を参照して、パネル保持具１５はその内部に一対の磁石２４ａ，磁石２４ｂを収納した固定部材１７と、固定部材１７に接続されパネルを保持するための一対の保持部材１８ａ，保持部材１８ｂとから構成されている。固定部材１７は、具体的には、断面逆Ｕの字形状を有しており、水平方向に伸びる矩形形状の基板部２０と、基板部２０の長手方向の一辺の一方の中央部に接続され、垂直面を構成する第１垂直部２１と、基板部２０の長手方向に伸びる一辺の他方に接続され、垂直面を構成する第２垂直部２２と、その内部の両端側に収納されている一対の磁石２４ａ，磁石２４ｂとから構成されている。
【００３９】
一方、保持部材１８ａ，保持部材１８ｂの各々は、固定部材１７の基板部２０の長手方向の辺のうち第１垂直部２１側の辺の両端側に接続され、垂直面を構成する第１垂直部２５と、第１垂直部２５の下端に接続され、断面半円状の屈曲部２６と、屈曲部２６の上端に接続され、垂直面を構成する第２垂直部２８と、第２垂直部２８の上端に接続され、第１垂直部２５側に屈曲すると共にその先端が屈曲部２６の上方に位置する爪部２９とから構成されている。
【００４０】
そして、爪部２９は図３に示されているように第１垂直部２５の上端位置Ｘを中心として、保持すべきパネルの下端に形成されている縁巻部の径を半径とするほぼ円弧状断面となっている。尚、磁石２４ａ，磁石２４ｂを除いて固定部材１７及び保持部材１８ａ，保持部材１８ｂは、鉄板等の磁性体をプレス加工によって形成したものである。従ってこれらは一体化すると共に、磁石２４ａ，磁石２４ｂの磁力によって固定部材１７をヨークとして磁性材料に対して脱着自在に固定することが可能となる。
【００４１】
図４は図１で示したパネル保持具に油除けパネルを取り付け、この状態でパネル保持具を所望の位置に固定した状態を示した概略断面図である。
【００４２】
図を参照して、油除けパネル３５は平板部３６と平板部３６の下端に形成された縁巻部３７とから構成されている。尚、この実施の形態による油除けパネル３５は、平板部３６が含まれる垂直面が縁巻部３７の中心を通る垂直面より第１垂直部２５側にずれた偏心状態に形成されるものを想定している。上述のように保持部材１８を構成する第１垂直部２５と屈曲部２６と第２垂直部２８とからなる断面Ｕの字状の保持部の幅は、縁巻部３７の径に相当するように設定されている。従って、図のように油除けパネル３５の縁巻部３７を保持部材１８の屈曲部２６の内面に当接するような取付け状態にあっては、縁巻部３７が安定した状態となると共に油除けパネル３５の平板部３６は固定部材１７の第１垂直部２５の外面に接した状態となる。
【００４３】
保持部材１８の爪部２９は上述のように屈曲部２６の上方に位置するように設定されているため、爪部２９の先端を通る垂直面と第１垂直部２５を含む垂直面との距離Ｂは縁巻部３７の径より小さくなる。従って、油除けパネル３５の縁巻部３７を中心とした揺動範囲は、図１２で示したような従来例によるものに比べて極めて小さくなり、その取付け状態が安定する。即ち、油除けパネル３５の平板部３６は爪部２９の先端と第１垂直部２５の外面との間で挟まれた状態で保持されることになる。
【００４４】
次にこの油除けパネル３５のパネル保持具１５に対する取付け方法について説明する。
【００４５】
図５は図１で示したパネル保持具に油除けパネルを取り付ける際の取付け手順を示した概略断面図である。
【００４６】
図を参照して、その（１）に示されているように、パネル保持具１５をまずレンジの上面プレート等の磁性体よりなる設置面３３の所望の位置に取り付ける。この時内部に収納されている磁石２４の磁力によって固定部材１７は、強固に設置面３３に固定される。次に、保持すべき油除けパネル３５を上方から降下させ、その縁巻部３７の下面を基板部２０の上面に当接状態とする。次にこの状態において油除けパネル３５を爪部２９側に水平方向に移動させる。上述のように爪部２９は第１垂直部２５の上端位置Ｘを中心として縁巻部３７の径を半径とした円弧状断面に形成されている。そのため、水平方向に移動された縁巻部３７は、爪部２９の内面に当接した状態でこれに沿って保持部材１８内部に収納される。この状態を示したのが（２）の状態である。
【００４７】
そして縁巻部３７が爪部２９の下端にまで移動すると、その状態から油除けパネル３５をその（３）のように垂直下方に降下させる。パネル保持具１５の第１垂直部２５と第２垂直部２８との間の幅は縁巻部３７の外径に相当するように設定されているため、縁巻部３７はスムーズに降下する。第２垂直部２８の下方には水平方向に第１垂直部２５側に凹んだ凹み部３１が形成されている。そのため、凹み部３１の形成位置と、第１垂直部２５との間の幅は縁巻部３７の外径より若干小さく設定されている。しかしパネル保持具１５自体が弾性変形が可能であると共に、縁巻部３７も弾性変形可能である。従って、油除けパネル３５の更の降下によって縁巻部３７は凹み部３１の部分を通り抜け屈曲部２６の内面に当接して図４で示した設置状態が完了する。凹み部３１はこのように構成されているため、図４に示した設置状態において縁巻部３７に対して抜け止め効果を発揮し、油除けパネル３５の保持状態をより安定させる。
【００４８】
油除けパネル３５をパネル保持具１５から取り外す際には、図５で示した取付け手順とは逆の手順によって容易に油除けパネル３５をパネル保持具１５から取り外すことが可能となる。
【００４９】
図６はこの発明の第２の実施の形態によるパネル保持具の外観形状を示した斜視図であり、図７は図６で示したＶＩＩ−ＶＩＩラインから見た側面図であり、図８は図６で示したＶＩＩＩ−ＶＩＩＩラインの断面図であり、図９は図６で示したＩＸ−ＩＸラインの断面図である。
【００５０】
これらの図を参照して、パネル保持具１５の基本的な構成は先の第１の実施の形態によるパネル保持具と同様であるため、ここではその相違点を中心に以下説明する。
【００５１】
まず、保持部材１８ａ，保持部材１８ｂの形状が異なっている。即ち、保持部材１８は、固定部材１７の基板部２０の長手方向の辺の一方の両端側に接続され、垂直面を構成する第１垂直部２５と、第１垂直部２５の下端に接続される断面半円状の屈曲部２６と、屈曲部２６の上端に接続され、垂直面を構成する第２垂直部２８とからなる保持部と、第２垂直部２８の上端に接続され、第１垂直部２５とは反対側に屈曲した湾曲部３９とから構成されている。従って、保持部材１８の上方側は図１１で示した従来例と同様に大きなスペースとなっている。
【００５２】
次に、基板部２０の第１垂直部２１が接続される辺の中央から第２垂直部２８側に突き出て垂直面を構成する押え片４０が形成されている点が異なっている。押え片４０は、第１垂直部２１の基板部２０との接続側の中央部を一部切り取り、この部分をプレス成形することによって形成されたものであり、その結果第１垂直部２１には開口４１が形成されている。押え片４０が構成する垂直面は第１垂直部２５の外面を含む面と第２垂直部２８の内面を含む面との間に位置するように設定されている。従って、押え片４０の垂直面を含む面と第２垂直部２８の内面を含む垂直面との距離は、第１垂直部２５の外面と第２垂直部２８の内面との距離に比べて小さくなる。
【００５３】
図１０は図６で示したパネル保持具に油除けパネルを支持させて固定した状態を示した概略断面図である。
【００５４】
図を参照して、取り付ける油除けパネル３５は平板部３６を含む垂直面と縁巻部３７の中心位置を通る垂直面とがほぼ一致したパネルを想定している。取付け状態にあっては、縁巻部３７が屈曲部２６の内面に当接した状態となり、平板部３６が押え片４０の垂直面に接した状態となる。この状態にあっては、第２垂直部２８の内面を含む垂直面と押え片４０の垂直面とを含む垂直面の距離Ｃは、第１垂直部２５の外面と第２垂直部２８の内面との距離に比べて小さくなる。従って、油除けパネル３５は図１２に示した従来例に比べて揺動する範囲が小さくなりその支持状態が安定する。そして、油除けパネル３５の平板部３６は押え片４０の外面と一対の保持部材１８ａ，保持部材１８ｂの各々の第２垂直部２８の内面との間の３点で挟まれることになり、安定した支持状態が保持される。
【００５５】
上述のように押え片４０の外面と第２垂直部２８の内面との距離Ｃは縁巻部３７の外径より小さく設定されているが、油除けパネル３５の取付け時には保持部材１８ａ，保持部材１８ｂの弾性変形によって距離Ｃの部分が広がることと、縁巻部３７の弾性変形とによって容易に取り付けることが可能となる。取外しの際には、油除けパネル３５を上方に引き上げることによって容易にパネル保持具１５から取り外すことが可能となる。
【００５６】
尚、上記の各実施の形態では、固定部材と保持部材とを同一材料の一体プレス成形としているが、これらは別体であっても良く、又、プレス成形によるものでなくても良い。
【００５７】
又、上記の各実施の形態では、保持部材の第２垂直部に水平に凹み部が形成されているが、この凹み部はなくても良い。
【００５８】
更に、上記の各実施の形態では、固定部材は逆Ｕの字形状断面としているが、他の断面構造であっても良い。
【００５９】
更に、上記の各実施の形態では、保持する対象を調理用油除けとしているが、平板部と縁巻部とからなるパネルであれば他の用途のものであっても良いことは言うまでもない。
【００６０】
更に、上記の第１の実施の形態では、保持部材は一対設けられているが、保持部材は固定部材に対して一つでも良いし、三つ以上であっても良い。
【００６１】
更に、上記の第１の実施の形態では、保持すべき油除けパネルは平板部と縁巻部とが偏心しているものを想定しているが、第２の実施の形態によるもののように偏心していないものでも良い。この場合、平板部の垂直位置に応じて爪部の先端の位置を調整すれば良い。
【００６２】
更に、上記の第１の実施の形態では、保持部材の第１垂直部の面と固定部材の垂直部の面とを同一面に位置するように設定しているが、これらは必ずしも同一面でなくても良い。
【００６３】
更に、上記の第２の実施の形態では、押え片は固定部材と一体としているが、これらは別体であっても良い。
【００６４】
更に、上記の各実施の形態では、各固定部材の内部には２つの磁石が収納されているが、磁石の数は特に限定されず、１つであっても良いし、３つ以上であっても良いのは言うまでも無い。
【図面の簡単な説明】
【００６５】
【図１】この発明の第１の実施の形態によるパネル保持具の外観形状を示した斜視図である。
【図２】図１で示したＩＩ−ＩＩラインから見た側面図である。
【図３】図１で示したＩＩＩ−ＩＩＩラインの断面図である。
【図４】図１で示したパネル保持具の使用状態を示した概略断面図である。
【図５】図１で示したパネル保持具に油除けパネルを取り付ける手順を示した概略断面図である。
【図６】この発明の第２の実施の形態によるパネル保持具の概略形状を示した斜視図である。
【図７】図６で示したＶＩＩ−ＶＩＩラインから見た側面図である。
【図８】図６で示したＶＩＩＩ−ＶＩＩＩラインの断面図である。
【図９】図６で示したＩＸ−ＩＸラインの断面図である。
【図１０】図６で示したパネル保持具の使用状態を示した概略断面図である。
【図１１】従来のパネル保持具の外観形状を示した斜視図である。
【図１２】図１１で示したパネル保持具の使用状態を示した概略断面図である。
【符号の説明】
【００６６】
１５…パネル保持具
１７…固定部材
１８…保持部材
２１，２５…第１垂直部
２４…磁石
２６…屈曲部
２８…第２垂直部
２９…爪部
３１…凹み部
３５…油除けパネル
３６…平板部
３７…縁巻部
３９…湾曲部
４０…押え片
尚、各図中同一符号は同一又は相当部分を示す。
【図１】
0004690847.tif 000002
【図２】
0004690847.tif 000003
【図３】
0004690847.tif 000004
【図４】
0004690847.tif 000005
【図５】
0004690847.tif 000006
【図６】
0004690847.tif 000007
【図７】
0004690847.tif 000008
【図８】
0004690847.tif 000009
【図９】
0004690847.tif 000010
【図１０】
0004690847.tif 000011
【図１１】
0004690847.tif 000012
【図１２】
0004690847.tif 000013